(57)【要約】【課題】エネルギー効率の良好なハプティク・アクチュエータを提供する。【解決手段】可動子１５０は、磁極１５５ａ、１５５ｂを含む。反対方向に巻かれたコイル２０１ａ、２０１ｂは直列に接続され、反対方向に巻かれたコイル２０３ａ、２０３ｂは直列に接続されてそれぞれコイル・ペアを形成する。可動子が左端から右端に移動するときに、最初にコイル・ペア２０１ａ、２０１ｂに駆動電流を流す。可動子が所定の位置まで移動したときに、コイル・ペア２０３ａ、２０３ｂに駆動電流を流し、コイル・ペア２０１ａ、２０１ｂの駆動電流を停止する。ハンマー１６１ａ、１６１ｂは、可動子が左端または右端まで移動したときに振動体に打撃を加える。可動子の移動に伴って可動子に付与する力に寄与しなくなるコイル・ペアの駆動電流は停止することでエネルギー効率が向上する。【選択図】図２
2018074763.tif 000002
【特許請求の範囲】
【請求項１】
電子機器の振動体に触覚フィードバックを提供するハプティク・システムであって、
磁極を備え振動軸に沿って振動する可動子と、前記振動軸の方向に相互にシフトするように配置した複数のコイルとを含むリニア振動アクチュエータと、
前記複数のコイルに駆動電流を供給する駆動回路と、
前記可動子が一方の端から他方の端に移動する間に駆動電流を流す前記コイルを順番に切り換えるように前記駆動回路を制御するコントローラと
を有するハプティク・システム。
【請求項２】
前記複数のコイルが第１のコイルと第２のコイルを含み、前記コントローラは、前記第１のコイルに駆動電流を流して前記可動子を前記他方の端の方向に移動させ、所定のタイミングで前記第１のコイルの駆動電流を停止し、前記第２のコイルに駆動電流を流して前記可動子をさらに前記他方の端の方向に移動させる請求項１に記載のハプティク・システム。
【請求項３】
前記複数のコイルが第１のコイルと第２のコイルを含み、前記コントローラは、前記第１のコイルに駆動電流を流して前記可動子を前記他方の端の方向に移動させ、所定のタイミングで前記第２のコイルに駆動電流を流してから所定のタイミングで前記第１のコイルの駆動電流を停止して前記可動子をさらに前記他方の端の方向に移動させる請求項１に記載のハプティク・システム。
【請求項４】
前記コントローラは、前記所定のタイミングを前記可動子の位置を検出して生成する請求項２または請求項３に記載のハプティク・システム。
【請求項５】
前記コントローラは、前記所定のタイミングを前記第１のコイルに駆動電流を流してからの経過時間から生成する請求項２または請求項３に記載のハプティク・システム。
【請求項６】
前記複数のコイルが、相互に反対方向に巻かれた第１のコイル・ペアと相互に反対方向に巻かれた第２のコイル・ペアを含み、前記コントローラは、前記可動子が前記一方の端から前記他方の端に移動する間に駆動電流を流すコイル・ペアを前記第１のコイル・ペアから前記第２のコイル・ペアに切り換える請求項１に記載のハプティク・システム。
【請求項７】
前記複数のコイルが、相互に反対方向に巻かれた第１のコイル・ペアと相互に反対方向に巻かれた第２のコイル・ペアを含み、前記コントローラは、システムから振動モードのコマンドを受け取ったときに前記第１のコイル・ペアまたは前記第２のコイル・ペアだけに駆動電流を流し、前記システムから衝撃モードのコマンドを受け取ったときに前記可動子が前記一方の端から前記他方の端に移動する間に駆動電流を流すコイル・ペアを前記第１のコイル・ペアから前記第２のコイル・ペアに切り換える請求項１に記載のハプティク・システム。
【請求項８】
電子機器の振動体に触覚フィードバックを提供するハプティク・システムであって、
振動軸の方向に相互にシフトするように配置した複数のコイルと、磁極を備え駆動電流が流れる前記複数のコイルから付与された力でホーム・ポジションから衝突位置まで前記振動軸に沿って移動する可動子と、該可動子が前記衝突位置に移動したときに前記振動体に衝突するハンマーとを含むリニア衝撃アクチュエータと、
前記複数のコイルに駆動電流を供給する駆動回路と、
前記可動子が前記ホーム・ポジションから前記衝突位置まで移動する間に駆動電流を流す前記コイルを順番に切り換えるように前記駆動回路を制御するコントローラと
を有するハプティク・システム。
【請求項９】
前記複数のコイルが第１のコイルと第２のコイルを含み、前記コントローラは、前記第１のコイルに駆動電流を流して前記可動子を前記衝突位置の方向に移動させ、所定のタイミングで駆動電流を流すコイルを前記第１のコイルから前記第２のコイルに切り換えて前記可動子をさらに前記衝突位置の方向に移動させる請求項８に記載のハプティク・システム。
【請求項１０】
前記可動子を前記衝突位置から前記ホーム・ポジションに移動させる弾力を付与する復帰機構を有する請求項９に記載のハプティク・システム。
【請求項１１】
前記第２のコイルの巻き数が前記第１のコイルの巻き数より大きい請求項１０に記載のハプティク・システム。
【請求項１２】
前記駆動回路は前記第１のコイルより前記第２のコイルに大きな駆動電流を流す請求項１０に記載のハプティク・システム。
【請求項１３】
請求項１から請求項１２に記載のハプティク・システムを搭載した電子機器。
【請求項１４】
電子機器の振動体に触覚フィードバックを提供するリニア振動アクチュエータであって、
磁極を備え振動軸に沿って振動する可動子と、
前記振動軸の方向に相互にシフトするように配置した複数のコイルとを有し、
前記可動子が前記一方の端から前記他方の端まで移動する間に駆動電流が流れる前記コイルが順番に切りかわるリニア振動アクチュエータ。
【請求項１５】
前記複数のコイルを、それぞれ相互に反対方向に巻かれたコイル・ブロックを含む複数のコイル・ペアで構成した請求項１４に記載のリニア振動アクチュエータ。
【請求項１６】
前記複数のコイルを、前記振動軸の方向に部分的に重ねて配置した請求項１４に記載のリニア振動アクチュエータ。
【請求項１７】
前記複数のコイルを、前記可動子を挟むように配置した請求項１４に記載のリニア振動アクチュエータ。
【請求項１８】
電子機器の振動体に触覚フィードバックを提供するリニア衝撃アクチュエータであって、
磁極を備え振動軸に沿ってホーム・ポジションから衝突位置まで移動する可動子と、
前記振動軸の方向に相互にシフトするように配置した複数のコイルと、
前記衝突位置まで移動した前記可動子を前記ホーム・ポジションに戻す復帰機構とを有し、
前記可動子が前記衝突位置まで移動する間に駆動電流が流れる前記コイルが順番に切りかわるリニア衝撃アクチュエータ。
【請求項１９】
磁極を備えた可動子と第１のコイルと第２のコイルを含むリニア振動アクチュエータが電子機器の振動体に触覚フィードバックを提供する方法であって、
前記第１のコイルに駆動電流を流して前記可動子を一方の端の方向に移動させるステップと、
前記第１のコイルより前記一方の端に近い位置に配置した前記第２のコイルに駆動電流を流して前記可動子をさらに前記一方の端の方向に移動させるステップと、
前記可動子が前記一方の端に到達する前に前記第１のコイルの駆動電流を停止するステップと
を有する方法。
【請求項２０】
磁極を備えた可動子と第１のコイルと第２のコイルを含むリニア衝撃アクチュエータが電子機器の振動体に触覚フィードバックを提供する方法であって、
前記第１のコイルに駆動電流を流して前記可動子を一方の端の方向に移動させるステップと、
前記第１のコイルより前記一方の端に近い位置に配置した前記第２のコイルに駆動電流を流して前記可動子をさらに前記一方の端の方向に移動させるステップと、
前記可動子が前記一方の端に到達する前に前記第１のコイルの駆動電流を停止するステップと、
前記可動子が前記一方の端まで移動したことに応じてハンマーが前記振動体を打撃するステップと
を有する方法。
【発明の詳細な説明】
【技術分野】
【０００１】
本発明は、電子機器に触覚フィードバックを提供するアクチュエータおよびハプティク・システムに関する。
【背景技術】
【０００２】
タブレット端末、スマートフォンおよび携帯電話のような使用時や携帯時にユーザが筐体やタッチスクリーンに触れる携帯式電子機器は、人体に触覚フィードバック（ハプティク・フィードバック）を付与するアクチュエータ（ハプティク・アクチュエータ）を搭載することがある。ハプティク・アクチュエータは、システムが生成するイベントに応じて、タッチスクリーンや筐体のような振動体に振動を伝える。ユーザは振動体に接触した人体の部位で振動を知覚して操作に対するシステムの応答を認識する。ハプティク・アクチュエータは駆動源に電力を使用しており、振動の性質から衝撃型と振動型に大別することができる。
【０００３】
衝撃型は代表例として、形状記憶合金を利用するＳＩＡ（Shape Memory metal Impact Actuator）を挙げることできる。衝撃型は振動素子が振動体を打撃して一過性の振動を与える。振動型は代表例として偏心モータを利用するＥＲＭ（Eccentric Rotating Mass）型アクチュエータ、磁界中のコイルに交流電流を流して可動子を振動させるリニア共振型アクチュエータ（ＬＲＡ：Linear Resonant Actuator）およびピエゾ素子を利用した圧電アクチュエータなどを挙げることができる。
【０００４】
特許文献１は、巻き方を逆にした２つのコイルと、コイルを貫通する可動子に搭載された３つの永久磁石を含むリニア振動アクチュエータを開示する。特許文献２は、１つのコイルと、コイルを貫通する可動子に搭載された２つの永久磁石を含むリニア振動モータを開示する。特許文献３は、振動方向に平行に配置したコイルと振動方向に対して垂直な方向に磁極を配置した永久磁石で構成した振動アクチュエータを開示する。
【先行技術文献】
【特許文献】
【０００５】
【特許文献１】国際公開第２０１６／０８４８０７号
【特許文献２】国際公開第２０１６／０１７５８６号
【特許文献３】特開２０１１−９７７４７号公報
【発明の概要】
【発明が解決しようとする課題】
【０００６】
携帯式電子機器に搭載するハプティク・アクチュエータは、用途に応じて性質の異なる知覚をもたらすことができれば便利である。たとえば、ソフトウェア・キーボードの打鍵に対しては、連続打鍵に適応できるようにタッチスクリーンに短時間で終了する一過性の強い振動を与えることが適しており、メールの着信やＷｅｂサイトからのプッシュ通知を知らせたりする場合はユーザが気づくまでに必要な比較的長い時間筐体を振動させることが適している。
【０００７】
このとき筐体の内部に、衝撃型と振動型の２つのハプティク・アクチュエータを設けることは、スペースの確保やコストの面で不利である。したがって、１個のハプティク・アクチュエータが、電源を制御するだけで衝撃型と振動型の２つの動作モードで動作できれば都合がよい。一般にハプティク・アクチュエータには、少ない消費電力で大きな加振力を発生できるようにエネルギー効率が良好であることが求められる。また、サイズもできるだけ小さいことが望ましい。
【０００８】
たとえば、固定子としてのコイルと、永久磁石を備える可動子を含むタイプのリニア振動アクチュエータでは、永久磁石が放射する磁束によりコイルに流れる交流電流に力が発生して可動子が振動する。このとき磁極の近辺に存在するコイルは、磁極の位置によって変化する。従来のリニア振動アクチュエータは、いずれも可動子が一方の端から他方の端まで移動する間に、駆動電流が流れるコイルまたはコイル・ペアが切りかわることがない。このように可動子が一方の端から他方の端まで移動する間に同一のコイルまたは同一のコイル・ペアだけで駆動力を得る駆動方法をシングル・ステップ駆動ということにする。
【０００９】
図１０は、リニア振動アクチュエータ１０がシングル・ステップ駆動で動作する様子を説明するための模式的な図である。図１０は、Ｎ極とＳ極の磁極で代表させて示した可動子１５が、振動軸１７の方向に隣接するように配置したコイル・ペア１１、１３の開口を左から右に移動するときの様子を断面で示している。コイル・ペア１１、１３はそれぞれ、代表的に３つの１ターンのコイル片を明示しているが、実際にはそれぞれ一巻きのコイルである。
【００１０】
可動子１５が左端から右端まで移動する間は、コイル・ペア１１、１３に、図に示す方向の駆動電流が流れる。また可動子１５が右端から左端まで移動する間は、コイル・ペア１１、１３に図とは反対方向の駆動電流が流れる。Ｎ極からＳ極に向かって流れる磁束の中に存在するコイル・ペア１１、１３のコイル片には、フレミングの左手の法則により矢印方向の力が付与される。コイル・ペア１１、１３を固定子にすれば、ニュートンの作用反作用の法則により可動子１５には左から右に向かう力が付与される。
【００１１】
コイル・ペア１１、１３を構成するコイル片には、振動軸に垂直な成分の磁束で振動軸１７に平行な方向の力が働くが、振動軸１７に平行な成分の磁束により発生した振動軸に垂直な方向の力は各コイル片において打ち消し合う。また、コイル片に働く力の大きさは磁束密度に比例する。したがって、磁極の近辺に存在するコイル片には可動子１５を振動させる大きな力がはたらき、磁極から離れた位置に存在するコイル片は振動に寄与しない。
【００１２】
可動子１５が図１０（Ａ）の位置では、磁極の近辺に存在するコイル１１の左側のコイル片と、コイル１３の中央と右側のコイル片に矢印方向の力が働く。図１０（Ｂ）、図１０（Ｃ）と可動子１５が右に移動するに従って、可動子の推進に有効な磁束に存在するコイル辺が変化し、図１０（Ｃ）の位置ではコイル１１だけが力を受けるため、可動子１５に付与される力は低下する。
【００１３】
さらに可動子１５が、図１０（Ｄ）の位置まで移動するとＮ極が放射する磁束がコイル１３の左側のコイル片に逆向きの力を与えて可動子１５に対する右向きの力が急激に低下する。したがって、アクチュエータ１０は、可動子１５の右側のストロークを図１０（Ｄ）より短いたとえば図１０（Ｃ）の位置に設定する必要がある。また、図１０（Ａ）〜図１０（Ｃ）において、コイル１１、１３を構成するコイル片には、駆動電流は流れていても可動子１５に力を付与しないコイル片が存在している。
【００１４】
このように動作するシングル・ステップ駆動のアクチュエータの問題の１つとして、磁極の位置によって、可動子１５の移動に寄与しないコイル片が存在することを挙げることができる。シングル・ステップ駆動では、可動子１５の移動に寄与しないコイル片にも駆動電流が流れてジュール損が発生し発熱の原因になり、エネルギー効率の低下をもたらす。ジュール損は、コイル・ペア１１、１３に流す駆動電流を大きくしてアクチュエータ１０の振動を強化する手法に限界をもたらす。
【００１５】
他の問題として、コイル１１、１３間の間隔に対して可動子１５のストロークを大きくすると可動子に逆方向の力を付与するコイル片が存在するようになることを挙げることができる。それを避けるためにコイルの間隔を大きくするとアクチュエータ１００の全体のサイズが大きくなり、可動子１５のストロークを小さくすると可動子１５を短時間で一定の速度まで上昇させるためにより大きな力が必要になり、結果的に振動強度が低下して良好なハプティクを得ることができなくなる。
【００１６】
本発明の目的はシングル・ステップ駆動のリニア振動アクチュエータよりも、エネルギー効率およびサイズの面で優れたハプティク・システムおよびハプティク・アクチュエータを実現することにある。さらに、そのようなハプティク・アクチュエータを利用して有用な触覚フィードバックを提供することにある。
【課題を解決するための手段】
【００１７】
本発明は電子機器の振動体に触覚フィードバックを付与するハプティク・システムを提供する。一の態様にかかるハプティク・システムは、磁極を備え振動軸に沿って振動する可動子と、振動軸の方向に相互にシフトするように配置した複数のコイルとを含むリニア振動アクチュエータを有する。さらに、複数のコイルに駆動電流を供給する駆動回路と、可動子が一方の端から他方の端に移動する間に駆動電流を流すコイルを順番に切り換えるように駆動回路を制御するコントローラとを有する。
【００１８】
他の態様にかかるハプティク・システムは、振動軸の方向に相互にシフトするように配置した複数のコイルと、磁極を含み駆動電流が流れる複数のコイルから付与された力でホーム・ポジションから衝突位置まで振動軸に沿って移動する可動子と、可動子が衝突位置に移動したときに振動体に衝突するハンマーとを含むリニア衝撃アクチュエータを有する。さらに、複数のコイルに駆動電流を供給する駆動回路と、可動子がホーム・ポジションから衝突位置まで移動する間に駆動電流を流すコイルを順番に切り換えるように駆動回路を制御するコントローラとを有する。
【００１９】
さらに本発明は、磁極を備えた可動子と第１のコイルと第２のコイルを含むリニア振動アクチュエータが電子機器の振動体に触覚フィードバックを付与する方法を提供する。一の態様にかかる方法は、第１のコイルに駆動電流を流して可動子を一方の端の方向に移動させ、第１のコイルより一方の端に近い位置に配置した第２のコイルに駆動電流を流して可動子をさらに一方の端の方向に移動させ、可動子が一方の端に到達する前に第１のコイルの駆動電流を停止する。
【００２０】
他の態様にかかる方法は、第１のコイルに駆動電流を流して可動子を一方の端の方向に移動させ、第１のコイルより一方の端に近い位置に配置した第２のコイルに駆動電流を流して可動子をさらに一方の端の方向に移動させ、可動子が一方の端に到達する前に第１のコイルの駆動電流を停止し、可動子が一方の端まで移動したことに応じてハンマーが振動体を打撃する。
【発明の効果】
【００２１】
本発明により、以下のいずれかまたは複数の効果を得ることができた。本発明によりエネルギー効率に優れたハプティク・アクチュエータを提供することができた。本発明により、強い加振力を備えるハプティク・アクチュエータを提供することができた。さらに本発明により小型のハプティク・アクチュエータを提供することができた。さらに本発明により消費電力の少ないハプティク・アクチュエータを提供することができた。さらに本発明により、性質の異なる知覚をもたらす触覚フィードバックを生成することが可能なハプティク・アクチュエータを提供することができた。さらに本発明により、そのようなハプティク・アクチュエータに適応する電子機器、ハプティク・システムおよび触覚フィードバックの付与方法を提供することができた。
【図面の簡単な説明】
【００２２】
【図１】電子機器の一例としてのスマートフォン５０の平面図である。
【図２】アクチュエータ１００の構造の一例を説明するための平面図および断面図である。
【図３】スマートフォン５０に搭載したハプティク・システム３００の構成の一例を説明するための機能ブロック図である。
【図４】ハプティク・システム３００の動作を説明するための図である。
【図５】マルチ・ステップ駆動のアクチュエータの特徴をシングル・ステップ駆動のアクチュエータと比較して説明するための図である。
【図６】マルチ・ステップ駆動を採用したリニア衝撃アクチュエータ５００の構成の一例を説明するための模式的な図である
【図７】マルチ・ステップ駆動が可能なアクチュエータ６００を説明するための模式的な断面図である。
【図８】マルチ・ステップ駆動が可能なアクチュエータ７００を説明するための模式的な断面図である。
【図９】５段のマルチ・ステップ駆動が可能なアクチュエータ８００を説明するための模式的な断面図である。
【図１０】シングル・ステップ駆動のアクチュエータの動作を説明するための模式的な図である。
【発明を実施するための形態】
【００２３】
［用語］
本明細書において、アクチュエータは電子機器の振動体に触覚フィードバックを提供するハプティク・アクチュエータを意味する。振動体は、ハプティク・アクチュエータから振動または衝撃を受けて触覚フィードバックを提供する電子機器の表面に相当する。振動体は一例としてタッチスクリーンまたは電子機器の筐体が相当する。振動は、振動体に結合したアクチュエータが所定の時間同じ振幅で動作することにより発生する。衝撃は、アクチュエータのハンマーが１回または複数回、アクチュエータの筐体または電子機器の振動体に打撃を与えることにより発生する。振動と衝撃は、ユーザに異質な知覚をもたらす。
【００２４】
リニア振動アクチュエータは、コイルに流れる駆動電流と磁極が放射する磁束の相互作用により、変換機構を用いずに可動子に直接的に往復運動を与える機械的な構造をいう。リニア振動アクチュエータのなかで、バネの共振を積極的に利用して強い振動強度を得るタイプのハプティク・アクチュエータを、リニア共振アクチュエータという。リニア振動アクチュエータは、可動子を中立位置に戻す目的でバネを利用する場合もある。
【００２５】
リニア振動アクチュエータは、可動子が１つの振動軸上で往復運動をする。リニア振動アクチュエータは、一般的に機械的または電気的に構成する振動機構を対称構造にするが、本実施の形態では非対象構造にすることもできる。本実施の形態にかかるリニア振動アクチュエータは、振動モードおよび衝撃モードまたはいずれか一方の動作モードで動作させることができる。ここに振動モードは、可動子が定常状態の振動をする動作モードに相当する。衝撃モードは振動モードに比べて可動子の振幅を大きくして、可動子により運動するハンマーをアクチュエータの筐体または電子機器の振動体に衝突させる動作に相当する。
【００２６】
リニア衝撃アクチュエータは、コイルに流れる駆動電流と磁極が放射する磁束の相互作用により、変換機構を用いずに可動子を一方の方向に急激に移動させて、ハンマーをアクチュエータの筐体または電子機器の振動体に衝突させる機械的な構造をいう。ハンマーの衝突後はバネなどの復帰機構で可動子をホーム・ポジションに戻してから次の動作に備える。リニア振動アクチュエータは可動子が対称的な往復動作をするが、リニア衝撃アクチュエータは可動子が力の大きさの点で非対称な往復動作をするため、振動機構を非対称構造にすることができる。
【００２７】
［電子機器と振動体］
図１は、電子機器の一例としてのスマートフォン５０に、本実施の形態にかかるハプティク・アクチュエータ（アクチュエータ）１００を搭載した様子を示す平面図である。本明細書においては同一または同一とみなせる要素に同一の参照番号を付して説明を簡略化または省略する。筐体５１の内部には、タッチスクリーン５３または筐体５１に触覚フィードバックを付与するアクチュエータ１００を配置している。アクチュエータ１００が貼り付けられるタッチスクリーン１３または筐体５１は、アクチュエータ１００から受けた振動をユーザに伝える振動体を構成する。
【００２８】
［アクチュエータ１００］
図２は、リニア振動アクチュエータに本発明を適用したアクチュエータ１００の構造の一例を説明するための平面図および断面図である。ただし、図５を参照して説明するように本発明はリニア衝撃アクチュエータに適用することもできる。図２（Ａ）は、上部筐体１０１ｂを取り除いた平面を示し、図２（Ｂ）は図２（Ａ）の振動軸１６３を含む平面で切断した断面を示している。
【００２９】
アクチュエータ１００は、可動子１５０の中心に定義した振動軸１６３の方向に細長い形状をしており、一例において異質なハプティクを提供する振動モードと衝撃モードのいずれでも動作することができる。ただし、アクチュエータ１００は振動モードと衝撃モードのいずれか一方だけで動作するものでもよい。アクチュエータ１００は、下部筐体１０１ａと上部筐体１０１ｂの内部にコイル・ペア２０１ａ、２０１ｂ、コイル・ペア２０３ａ、２０３ｂと可動子１５０を含む振動機構を収納している。
【００３０】
シャフト１０３ａ、１０３ｂは、それぞれ両端が固定部１０５ａ〜１０５ｄで下部筐体１０１ａに固定されている。可動子１５０は、シャフト１５３ａ、１５３ｂ、永久磁石で構成したＮ極の磁極１５５ａとＳ極の磁極１５５ｂ、および錘１５７ａ、１５７ｂを含んでいる。シャフト１０３ａ、１０３ｂは、可動子１５０が往復動作をできるように錘１５７ａ、１５７ｂの両端を貫通している。固定部１０５ａ〜１０５ｄと錘１５７ａ、１５７ｂの間には、圧縮コイル・バネ１０９ａ〜１０９ｄを設けている。
【００３１】
ヨーク１１１は、磁極１５５ａ、１５５ｂの間を流れる磁束の磁路を形成するようにコイル・ペア２０１ａ、２０１ｂ、コイル・ペア２０３ａ、２０３ｂおよび磁極１５５ａ、１５５ｂの周囲を囲んでいる。ヨーク１１１は、下部筐体１０１ａと上部筐体１０１ｂを利用して構成してもよい。ヨーク１１１の内側にはコイル・ペア２０１ａ、２０１ｂ、およびコイル・ペア２０３ａ、２０３ｂを振動軸１６３の方向においてシフトした位置に配置している。さらにコイル２０３ａは、コイル２０１ａとコイル２０１ｂの間に配置している。
【００３２】
一例においてコイル２０１ａとコイル２０１ｂの巻き線は振動軸１６３に対して相互に反対方向に巻いている。さらにコイル２０３ａとコイル２０３ｂの巻き線も振動軸１６３に対して相互に反対方向に巻いている。そして、コイル２０１ａとコイル２０１ｂを直列に接続し、コイル２０３ａとコイル２０３ｂを直列に接続する。本実施の形態では、コイル２０１ａ、２０１ｂ、２０３ａ、２０３ｂの巻き数は同じ値として振動機構を対称構造にしている。ただし衝撃モードだけで動作する場合は、コイル・ペア２０１ａ、２０１ｂの巻き数とコイル・ペア２０３ａ、２０３ｂの巻き数が異なるようにしてもよい。
【００３３】
コイル・ペア２０１ａ、２０１ｂ、コイル・ペア２０３ａ、２０３ｂ、およびヨーク１１１は、図示しない要素で下部筐体１０１ａに固定されており固定子を構成する。可動子１５０に搭載された磁極１５５ａ、１５５ｂは、コイル・ペア２０１ａ、２０１ｂ、およびコイル・ペア２０３ａ、２０３ｂの開口を移動する。磁極１５５ａ、１５５ｂの間を流れる磁束は駆動電流が流れるコイル・ペア２０１ａ、２０１ｂ、コイル・ペア２０３ａ、２０３ｂに力を付与する。
【００３４】
コイルに働く力は振動軸１６３に垂直な方向の磁束密度に比例する。したがって、磁極１５５ａ、１５５ｂの近辺のコイル片に働く力は、離れた位置にあるコイル片に働く力より大きくなる。なお、アクチュエータ１００は、可動子がコイルを含み、永久磁石を固定子として下部筐体１０１ａに固定するように構成してもよい。この場合、コイルには非接触給電方式を採用して駆動電流を流すことができる。
【００３５】
駆動回路は、磁極１５５ａ、１５５ｂが一方の端から他方の端に移動するときに、可動子１５０の位置に応じて、駆動電流を流すコイル・ペアを切り換える。このような振動軸１６３の方向に複数のコイルまたはコイル・ペアを配置して、可動子が一方の端から他方の端に移動する間に駆動電流を流すコイルまたはコイル・ペアを切り換える駆動方法をマルチ・ステップ駆動ということにする。マルチ・ステップ駆動の具体的な方法と特徴については後に詳しく説明する。ここで例示した２つのコイル・ペアに対する巻き線の方向と、駆動電流の供給方法は簡単な駆動回路でマルチ・ステップ駆動を実現するための一例である。
【００３６】
シャフト１５３ａ、１５３ｂの先端には、ハンマー１６１ａ、１６１ｂを形成している。アクチュエータ１００は衝撃モードで動作するときに、可動子１５０が大きなストロークで一方に移動して、ハンマー１６１ａ、１６１ｂの少なくとも一方が下部筐体１０１ａから飛び出し振動体を打撃することができる。ハンマー１６１ａ、１６１ｂは、可動子１５０が移動する力を振動軸１６３に平行な方向から振動軸に垂直な方向に変換する変換機構を経由してシャフト１５３ａ、１５３ｂに結合してもよい。
【００３７】
アクチュエータ１００は、振動モードで動作するときはシャフト１５３ａ、１５３ｂが、下部筐体１０１ａから飛び出さないようにストロークを制限し、衝撃モードのときだけストロークを大きくすることができる。また、ハンマー１６１ａ、１６１ｂは、いずれか一方のシャフト１５３ａ、１５３ｂだけに形成して、打撃を一方の方向だけで実現するようにしてもよい。
【００３８】
一例においてアクチュエータ１００は、圧縮コイル・バネ１０９ａ〜１０９ｄの共振周波数を可動子１５０の共振振動数に近づくようにバネ常数を設定して、リニア共振アクチュエータとすることができる。このとき圧縮コイル・バネ１０９ａ〜１０９ｄは、可動子１５０が中立位置から一方に移動するほど、可動子１５０の加速度を弱める働きをする。
【００３９】
したがって衝撃モードだけで動作させるときは、バネ常数を一方の端まで移動した可動子１５０を中立位置まで戻すために必要な弱い値にすることができる。柔らかいバネを利用することは、打撃力を強化する上で都合がよい。図２に示した振動機構におけるコイルの数、磁極の数、磁極の方向、およびコイルの向きなどは、本発明を説明するために例示したもので、図６、図７、図８でも説明するように本発明は他のさまざまな振動機構のリニア振動アクチュエータおよびリニア衝撃アクチュエータに適用することができる。
【００４０】
［触覚フィードバック・システム］
図３は、スマートフォン５０に搭載したハプティク・システム３００の構成の一例を説明するための機能ブロック図である。図３において、太線は電力ラインを示し細線は信号ラインを示している。直流電力源３０１は、リチウム・イオン電池、電池コントローラ、および充電器などで構成している。電圧レギュレータ３０３は、直流電力源３０１の出力電圧を所定の電圧に変換して駆動回路３０５、３０７に供給する。
【００４１】
システム３０９は、ＣＰＵ、システム・メモリ、およびＩ／Ｏインターフェースなどの機能を組み込んだ半導体チップ（ＳｏＣ）と、カメラ、スピーカ、タッチスクリーン１１、および無線モジュールなどのＩ／Ｏデバイスを含むハードウェアと、ＯＳやアプリケーション・プログラムなどのソフトウェアで構成している。駆動回路３０５は、直列に接続されたコイル・ペア２０１ａ、２０１ｂに所定の大きさの交流電圧を印加し、駆動回路３０５は、直接に接続されたコイル・ペア２０３ａ、２０３ｂに所定の大きさの交流電圧を印加する。
【００４２】
ハプティク・システム３００は、コイル２０１ａ、２０１ｂ、２０３ａ、コイル２０３ｂにそれぞれ対応する駆動回路を個別に設けてもよい。この場合、コイルごとに駆動電流の大きさおよび方向を制御して、エネルギー効率のよいコイルにだけ駆動電流を流すように制御することができる。タイミング回路３５５は、可動子１５０の位置を検出して駆動電流を流すコイルを切り換えるための切換信号を出力する。
【００４３】
タイミング回路３５５は、ホール素子、光電センサ、近接スイッチおよびリード・スイッチなどで構成することができる。コントローラ３１１は、システム３０９から受け取ったハプティク・コマンドおよびタイミング回路３５５から受け取った切換信号でコイル・ペア２０１ａ、２０１ｂおよびコイル・ペア２０３ａ、２０３ｂに流す駆動電流の方向および大きさを切り換えるように駆動回路３０５、３０７の動作を制御する。
【００４４】
切換信号は、１段目のコイル・ペアに駆動電流を流し続けるよりも２段目のコイル・ペアに切り換えた方が可動子１０５に大きな力を付与できるタイミングで生成する。あるいは切換信号は、１段目のコイル・ペアに駆動電流を流し続けるよりも２段目のコイル・ペアに切り換えた方がエネルギー効率がよいタイミングで生成する。コントローラ３１１は、可動子１５０が右方向に移動するときに駆動回路３０５が動作してからの経過時間、または可動子１５０が左方向に移動するときに駆動回路３０７が動作してからの経過時間を計時して切換信号を生成するようにしてもよい。切換信号の生成のタイミングに対応する可動子１５０の位置または経過時間は実験により求めることができる。
【００４５】
［アクチュエータ１００の動作］
つぎに、スマートフォン５０に搭載したハプティク・システム３００の動作を説明する。駆動回路３０５、３０７が駆動電圧を出力しない状態では、可動子１５０が圧縮コイル・バネ１０９ａ〜１０９ｄの弾力で中立位置に位置付けられている。このときハンマー１６１ａ、１６１ｂは下部筐体１０１ａの内側に存在する。システム３０９は、ユーザがタッチスクリーン５３にタッチ操作をしたり、メールを受信したりしてハプティクフィードバックが必要な状態が発生したときに、振動モードまたは衝撃モードのハプティク・コマンドをコントローラ３１１に出力する。
【００４６】
振動モードのハプティク・コマンドを受け取ったときに、コントローラ３１１はシングル・ステップ駆動またはマルチ・ステップ駆動のいずれかで動作することができる。シングル・ステップ駆動の振動モードでは、コイル・ペア２０１ａ、２０１ｂまたはコイル・ペア２０３ａ、２０３ｂのいずれか一方のコイル・ペアに駆動電流を供給することができる。あるいは、可動子１５０を右端まで移動させるときにはコイル・ペア２０１ａ、２０１ｂに駆動電流を供給し、可動子１５０を左端まで移動させるときはコイル・ペア２０３ａ、２０３ｂに駆動電流を供給することができる。
【００４７】
シングル・ステップ駆動では、ハンマー１６１ａ、１６１ｂが下部筐体１０１ａから飛び出さない範囲で可動子１５０が振動する。マルチ・ステップ駆動の振動モードでは、たとえば可動子１５０が中立位置に存在するときに、往路で前段のコイル・ペア２０１ａ、２０１ｂに駆動電流を流して可動子１５０を右方向に移動させる。コントローラ３１１は、可動子１５０が右端に到達する前にタイミング回路３５５から切換信号を受け取って後段のコイル・ペア２０３ａ、２０３ｂに駆動電流を供給する。
【００４８】
コントローラ３１１は、後段のコイル・ペア２０３ａ、２０３ｂと入れ替わるように前段のコイル・ペア２０１ａ、２０１ｂの駆動電流を停止してもよいし、後段のコイル・ペア２０３ａ、２０３ｂに駆動電流を流してから所定のタイミングで前段の駆動電流を停止するようにしてもよい。コントローラ３１１は、可動子１５０が右端に到達する所定のタイミングで、コイル・ペア２０３ａ、２０３ｂに駆動電流を流して可動子１５０を左方向に移動させ、切換信号を受け取ってコイル・ペア２０３ａ、２０３ｂからコイル・ペア２０１ａ、２０１ｂに切り換える。
【００４９】
復路では、コイル・ペア２０３ａ、２０３ｂ、およびコイル・ペア２０１ａ、２０１ｂに流す駆動電流の方向が往路と逆向きになる。切換信号を経過時間から生成するときは、中立位置から動作するときの経過時間と一方の端から動作するときの経過時間は異なる。コントローラ３１１は、ハンマー１６１ａ、１６１ｂが下部筐体１０１ａから飛び出さない範囲に抑制した駆動電流を流すように駆動回路３０５、３０７を制御する。
【００５０】
衝撃モードでは、常にマルチ・ステップ駆動で動作する。衝撃モードでは、可動子１５０が中立位置から一方の端への移動でハンマー１６１ａ、１６１ｂの一方が振動体に衝突してもよいし、中立位置から複数回の振動を繰り返してからハンマー１６１ａ、１６１ｂの一方が振動体に衝突するようにしてもよい。図４は、可動子１５０が中立位置から一方に移動することで振動体に衝突するときの様子を説明するための概念的な図である。
【００５１】
時刻ｔ０では、可動子１５０が中立位置Ｘ０に存在する。ライン４０１ａ、４０３ａは、可動子１５０が中立位置Ｘ０から右方向に移動するときに、位置に応じて可動子１５０に付与される力の大きさ、すなわち加速度を示している。中立位置Ｘ０で１段目のコイル・ペア２０１ａ、２０１ｂにライン４０１ｃの駆動電流を流すと可動子１５０の移動に伴ってライン４０１ａの加速度が発生し、ライン４０１ｂに沿って可動子１５０の速度が上昇する。可動子１５０が右方向に移動するにしたがって、コイル・ペア２０１ａ、２０１ｂが付与する加速度は低下し速度の上昇率も低下する。
【００５２】
可動子１５０の位置がある位置を超えると、コイル・ペア２０１ａ、２０１ｂからコイル・ペア２０３ａ、２０３ｂに切り換えた方が大きな加速度を得ることができる。あるいは、コイル・ペア２０１ａ、２０１ｂからコイル・ペア２０３ａ、２０３ｂに切り換えた方が振動強度に対するエネルギー効率が良くなる。位置Ｘ１またはそれに対応する経過時間ｔ１は、コイル・ペア２０１ａ、２０１ｂの駆動電流４０１ｃを停止して、コイル・ペア２０３ａ、２０３ｂに駆動電流４０３ｃを流すタイミングに相当する。
【００５３】
コイル・ペア２０３ａ、２０３ｂに駆動電流を流すと、可動子１５０の加速度はライン４０３ｂに沿って変化し、速度はライン４０３ｂに沿って変化する。位置Ｘ２またはそれに対応する経過時間ｔ２は、ハンマー１６１ｂが下部筐体１０１ａから飛び出して振動体を打撃する位置に相当する。コイル・ペア２０１ａ、２０１ｂからコイル・ペア２０３ａ、２０３ｂに切り換える際に、コイル・ペア２０３ａ、２０３ｂに経過時間ｔ１より短い経過時間ｔ３で駆動電流を流し、両方のコイル・ペアに同時に駆動電流を流す期間を設けて一層加速度を増加させることもできる。
【００５４】
［マルチ・ステップ駆動の特徴］
図５は、マルチ・ステップ駆動のアクチュエータの特徴をシングル・ステップ駆動のアクチュエータと比較して説明するための図である。図５（Ａ）は、図１０に示したシングル・ステップ駆動のアクチュエータ１０に対応し、図５（Ｂ）、図５（Ｃ）は、他のシングル・ステップ駆動のアクチュエータ１０ａ、１０ｂを示している。図５（Ｄ）は図２に示したマルチ・ステップ駆動のアクチュエータ１００に対応する。アクチュエータ１０では可動子１５が左端から右端に移動するまでコイル１１、１３に図示した方向の駆動電流が流れる。
【００５５】
アクチュエータ１０、１０ａ、１０ｂ、１００においてコイルに流れる駆動電流はすべて等しいものとして比較する。アクチュエータ１０ａでは、コイル１１ａ、１１ｂの巻き数がそれぞれコイル１１の半分で、コイル１３ａ、１３ｂの巻き数がそれぞれコイル１３の半分である。アクチュエータ１０ａでは、コイル１１ａ、１１ｂにコイル１１と同じ方向の駆動電流を流し、コイル１３ａ、１３ｂにコイル１３と同じ方向の駆動電流を流す。したがって、アクチュエータ１０とアクチュエータ１０ａは電気的および機械的な特性が等しいとして扱うことができる。
【００５６】
アクチュエータ１０ｂは、アクチュエータ１０ａのコイル１１ａ、１３ａだけを利用し、アクチュエータ１０ａと同じ方向の駆動電流を流す。アクチュエータ１００は、最初にコイル・ペア２０１ａ、２０１ｂだけに駆動電流を流し、可動子１５０が右端に移動するまでの所定のタイミングでコイル・ペア２０１ａ、２０１ｂからコイル・ペア２０３ａ、２０３ｂに切り換える。
【００５７】
最初にアクチュエータ１０に特性が一致するアクチュエータ１０ａと、アクチュエータ１００を比較する。可動子１５、１５０が左側に存在するときは、図示する方向の駆動電流で可動子１５、１５０に対して右向きの力が付与される。可動子１５、１５０が所定の位置より右側に移動すると、コイル１３ａは可動子１５に左向きの力を付与する。しかし、同じ可動子１５０の位置でアクチュエータ１００では、コイル２０１ｂに駆動電流が流れていないため、可動子１５０には左向きの力が発生しない。アクチュエータ１０ａにおいて可動子１５を左方向へ移動させる力が発生する位置までは、アクチュエータ１０ａの方が可動子１５を右に移動させる力が大きい。
【００５８】
しかし、コイル１３ａに可動子３５１を左方向へ移動させる力が発生する位置では、可動子がそれより右側に存在するときに、コイル２０１ａの駆動電流が停止するアクチュエータ１００の方が可動子１５０を右に移動させる力が大きい。可動子１５０は付与される力が大きいほど、また同じ力が付与されるときはストロークが大きいほど加速度が大きくなり振動強度が増加する。アクチュエータ１００を衝撃モードで動作させるときは、右端近くで可動子１５０に大きな速度を必要とするため、アクチュエータ１００が有利である。
【００５９】
さらに、アクチュエータ１００は、アクチュエータ１０ａに比べてコイルのジュール損が半分になる。同じジュール損が発生する駆動電流を流すときは、アクチュエータ１００の方が大きな力を得ることができる。アクチュエータ１００は、可動子１５０が右側に移動したときに駆動電流が流れているコイル２０３ｂがコイル１３ａよりも、Ｎ極から離れているため可動子１５０に左方向の力を付与ない。したがって、コイル２０３ａとコイル２０１ｂの間隔と可動子１５０のストロークを短くして小型化を図ることができる。あるいは、同じコイル間隔で可動子１５０のストロークを長くして衝撃モードにおいて可動子が衝突する時の速度を速くすることができる。
【００６０】
つぎに、アクチュエータ１００とアクチュエータ１０ｃを比較する。両者はコイルのジュール損は同じだが、可動子１５、１５０に働く力はアクチュエータ１００の方が大きい。言い換えると、アクチュエータ１００はアクチュエータ１０ｃに比べて同じ力を少ないジュール損で発生させることができる。以上のように、マルチ・ステップ駆動のアクチュエータ１００は、シングル・ステップ駆動のアクチュエータ１０ａ、１０ｂに比べて、エネルギー効率およびサイズの点で有利である。
【００６１】
［リニア衝撃アクチュエータ］
図６は、マルチ・ステップ駆動を採用したリニア衝撃アクチュエータ５００の構成の一例を説明するための模式的な図である。アクチュエータ５００は、コイル・ペア５０１ａ、５０１ｂとコイル・ペア５０３ａ、５０３ｂを振動軸に沿って相互にシフトした位置に配置している。
【００６２】
アクチュエータ５００は、ホーム・ポジションに位置する可動子５５０が左から右に移動したときに図２で例示したようなハンマーが振動体に衝突して衝撃を発生する。復帰機構５５１は、衝撃が発生したあとに可動子５５０を所定の時間内にホーム・ポジションに位置付ける。復帰機構５５１は、バネやマグネットを利用して構成することができる。復帰機構５５１は、コイル・ペア５０３ａ、５０３ｂに反対方向の駆動電流を流すことで実現することもできる。
【００６３】
前段のコイル・ペア５０１ａ、５０１ｂに対して後段のコイル・ペア５０３ａ、５０３ｂは電気装荷を大きくすることができる。電気装荷の増大は、コイル・ペア５０３ａ、５０３ｂの巻き数の増加および駆動電流の増加またはいずれか一方で実現してよい。ただし、コイル・ペア５０１ａ、５０１ｂとコイル・ペア５０３ａ、５０３ｂの電気装荷は等しくてもよい。
【００６４】
可動子５５０がホーム・ポジションに位置付けられているときに、前段のコイル・ペア５０１ａ、５０１ｂに駆動電流を流すと可動子５５０が右に移動する。切換信号が生成されたときに、駆動電流を前段のコイル・ペア５０１ａ、５０１ｂから後段のコイル・ペア５０３ａ、５０３ｂに切り換える。このとき、前段のコイル・ペア５０１ａ、５０１ｂと後段のコイル・ペア５０３ａ、５０３ｂに同時に駆動電流が流れる期間を設けてもよい。可動子５５０が右に移動するに従って復帰機構５５１による左向きの力が増加して、可動子５５０の加速度が低下するが、後段のコイル・ペア５０３ａ、５０３ｂの電気装荷が大きいため、加速度の低下を抑制してより大きな速度で衝突させることができる。
【００６５】
［マルチ・ステップ駆動が可能な他の構造のアクチュエータ］
マルチ・ステップ駆動は、さまざまな構造のリニア振動アクチュエータまたはリニア衝撃アクチュエータに適用できる。図７に示すアクチュエータ６００は、可動子６５０が４つの磁極を含み、３つのコイル６０１〜６０５が振動軸の方向に一部重ねて巻かれている。アクチュエータ６００をマルチ・ステップ駆動するときは、可動子６５０が中央部に存在するときはコイル６０３だけに駆動電流を流し、可動子６５０が右側に存在するときはコイル６０５だけに駆動電流を流し、可動子６５０が左側に存在するときはコイル６０１だけに駆動電流を流すように切り換える。
【００６６】
図８に示すアクチュエータ７００は、可動子７５０が２つの永久磁石を反対の磁極を上下に対面するように配置し、コイル７０１、７０３を振動軸の方向にシフトさせて可動子７５０の上下に配置している。アクチュエータ７００をマルチ・ステップ駆動するときは、可動子７５０が左側に存在するときはコイル７０１に駆動電流を流し、可動子７５０が右側に存在するときはコイル７０３に駆動電流を流すように切り換える。図９に示すアクチュエータ８００は、振動軸の方向に５個のコイル・ペア８０１ａ、８０１ｂ〜コイル・ペア８０９ａ、８０９ｂがシフトする位置に配置して可動子８５０が移動したときに有効な力を付与するコイル・ペアにだけ駆動電流を流すように構成している。
【００６７】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【符号の説明】
【００６８】
５０  スマートフォン  
５１  筐体
５３  タッチスクリーン
１００、５００、６００、７００、８００  ハプティク・アクチュエータ
１５、１５０、５５０、６５０、７５０、８５０  可動子
１５５ａ、１５５ｂ  磁極
１６１ａ、１６１ｂ  ハンマー
１１、１３、１１ａ、１１ｂ、１３ａ、１３ｂ、２０１ａ、２０１ｂ、２０３ａ、２０３ｂ  コイル
３００  ハプティク・システム
【図１】
2018074763.tif 000003
【図２】
2018074763.tif 000004
【図３】
2018074763.tif 000005
【図４】
2018074763.tif 000006
【図５】
2018074763.tif 000007
【図６】
2018074763.tif 000008
【図７】
2018074763.tif 000009
【図８】
2018074763.tif 000010
【図９】
2018074763.tif 000011
【図１０】
2018074763.tif 000012
【手続補正書】
【提出日】平成30年2月27日(2018.2.27)
【手続補正１】
【補正対象書類名】特許請求の範囲
【補正対象項目名】全文
【補正方法】変更
【補正の内容】
【特許請求の範囲】
【請求項１】
電子機器の振動体に触覚フィードバックを提供するハプティク・システムであって、
磁極を備え振動軸に沿って振動する可動子と、相互に反対方向に巻いたコイルで構成した第１のコイル・ペアと、該第１のコイル・ペアに対して前記振動軸の方向にシフトする位置に配置し相互に反対方向に巻いたコイルで構成した第２のコイル・ペアとを含むリニア振動アクチュエータと、
前記コイル・ペアに駆動電流を供給する駆動回路と、
前記可動子が一方の端から他方の端に移動する間に駆動電流を前記第１のコイル・ペアから前記第２のコイル・ペアに切り換えるように前記駆動回路を制御するコントローラと
を有するハプティク・システム。
【請求項２】
前記コントローラは、前記第１のコイル・ペアに駆動電流を流して前記可動子を前記他方の端の方向に移動させ、所定のタイミングで前記第１のコイル・ペアの駆動電流を停止し、前記第２のコイル・ペアに駆動電流を流して前記可動子をさらに前記他方の端の方向に移動させる請求項１に記載のハプティク・システム。
【請求項３】
前記コントローラは、前記第１のコイル・ペアに駆動電流を流して前記可動子を前記他方の端の方向に移動させ、第１の所定のタイミングで前記第２のコイル・ペアに駆動電流を流し、前記第１の所定のタイミングより遅い第２の所定のタイミングで前記第１のコイル・ペアの駆動電流を停止して前記可動子をさらに前記他方の端の方向に移動させる請求項１に記載のハプティク・システム。
【請求項４】
前記コントローラは、前記所定のタイミングを前記可動子の位置を検出して生成する請求項２または請求項３に記載のハプティク・システム。
【請求項５】
前記コントローラは、前記所定のタイミングを前記第１のコイル・ペアに駆動電流を流してからの経過時間から生成する請求項２または請求項３に記載のハプティク・システム。
【請求項６】
前記コントローラは、システムから振動モードのコマンドを受け取ったときに前記第１のコイル・ペアまたは前記第２のコイル・ペアだけに駆動電流を流し、前記システムから衝撃モードのコマンドを受け取ったときに前記可動子が前記一方の端から前記他方の端に移動する間に駆動電流を前記第１のコイル・ペアから前記第２のコイル・ペアに切り換える請求項１に記載のハプティク・システム。
【請求項７】
電子機器の振動体に触覚フィードバックを提供するハプティク・システムであって、
相互に反対方向に巻いたコイルで構成した第１のコイル・ペアと、該第１のコイル・ペアに対して振動軸の方向にシフトする位置に配置し相互に反対方向に巻いたコイルで構成した第２のコイル・ペアと、磁極を備え駆動電流が流れる前記コイル・ペアから付与された力でホーム・ポジションから衝突位置まで前記振動軸に沿って移動する可動子と、該可動子が前記衝突位置に移動したときに前記振動体に衝突するハンマーとを含むリニア衝撃アクチュエータと、
前記コイル・ペアに駆動電流を供給する駆動回路と、
前記可動子が前記ホーム・ポジションから前記衝突位置まで移動する間に駆動電流を前記第１のコイル・ペアから前記第２のコイル・ペアに切り換えるように前記駆動回路を制御するコントローラと
を有するハプティク・システム。
【請求項８】
前記コントローラは、前記第１のコイル・ペアに駆動電流を流して前記可動子を前記衝突位置の方向に移動させ、所定のタイミングで駆動電流を前記第１のコイル・ペアから前記第２のコイル・ペアに切り換えて前記可動子をさらに前記衝突位置の方向に移動させる請求項７に記載のハプティク・システム。
【請求項９】
前記可動子を前記衝突位置から前記ホーム・ポジションに移動させる弾力を付与する復帰機構を有する請求項８に記載のハプティク・システム。
【請求項１０】
前記第２のコイル・ペアの巻き数が前記第１のコイル・ペアの巻き数より大きい請求項９に記載のハプティク・システム。
【請求項１１】
前記駆動回路は前記第１のコイル・ペアより前記第２のコイル・ペアに大きな駆動電流を流す請求項９に記載のハプティク・システム。
【請求項１２】
請求項１から請求項１１に記載のハプティク・システムを搭載した電子機器。
【請求項１３】
電子機器の振動体に触覚フィードバックを提供するリニア振動アクチュエータであって、
磁極を備え振動軸に沿って振動する可動子と、
相互に反対方向に巻いたコイルで構成した第１のコイル・ペアと、該第１のコイル・ペアに対して前記振動軸の方向にシフトする位置に配置し相互に反対方向に巻いたコイルで構成した第２のコイル・ペアとを有し、
前記可動子が一方の端から他方の端まで移動する間に駆動電流が流れる前記コイル・ペアが順番に切りかわるリニア振動アクチュエータ。
【請求項１４】
電子機器の振動体に触覚フィードバックを提供するリニア衝撃アクチュエータであって、
磁極を備え振動軸に沿ってホーム・ポジションから衝突位置まで移動する可動子と、
相互に反対方向に巻いたコイルで構成した第１のコイル・ペアと、該第１のコイル・ペアに対して前記振動軸の方向にシフトする位置に配置し相互に反対方向に巻いたコイルで構成した第２のコイル・ペアと、
前記衝突位置まで移動した前記可動子を前記ホーム・ポジションに戻す復帰機構とを有し、
前記可動子が前記衝突位置まで移動する間に駆動電流が流れる前記コイル・ペアが順番に切りかわるリニア衝撃アクチュエータ。
【請求項１５】
磁極を備えた可動子と相互に反対方向に巻いたコイルで構成した第１のコイル・ペアと相互に反対方向に巻いたコイルで構成した第２のコイル・ペアを含むリニア振動アクチュエータが電子機器の振動体に触覚フィードバックを提供する方法であって、
前記第１のコイル・ペアに駆動電流を流して前記可動子を一方の端の方向に移動させるステップと、
前記第２のコイル・ペアに駆動電流を流して前記可動子をさらに前記一方の端の方向に移動させるステップと、
前記可動子が前記一方の端に到達する前に前記第１のコイル・ペアの駆動電流を停止するステップと
を有する方法。
【請求項１６】
磁極を備えた可動子と相互に反対方向に巻いたコイルで構成した第１のコイル・ペアと相互に反対方向に巻いたコイルで構成した第２のコイル・ペアを含むリニア衝撃アクチュエータが電子機器の振動体に触覚フィードバックを提供する方法であって、
前記第１のコイル・ペアに駆動電流を流して前記可動子を一方の端の方向に移動させるステップと、
前記第２のコイル・ペアに駆動電流を流して前記可動子をさらに前記一方の端の方向に移動させるステップと、
前記可動子が前記一方の端に到達する前に前記第１のコイル・ペアの駆動電流を停止するステップと、
前記可動子が前記一方の端まで移動したことに応じてハンマーが前記振動体を打撃するステップと
を有する方法。